(57)【要約】【課題】フィルタに堆積した不純物を低コストで除去可能なフィルタ装置を提案する。【解決手段】一実施形態に係るフィルタ装置は、流体が流れるダクトの内部に設けられ、前記流体が外周面から内側中空部へ透過するように配置された中空円筒状フィルタと、前記中空円筒状フィルタの軸方向一端側に該中空円筒状フィルタと一体に設けられ、前記ダクト内を流れる前記流体の動圧によって回転可能な羽根車と、前記中空円筒状フィルタの外周面と対向する前記ダクトの内壁面に先端部が前記中空円筒状フィルタの外周面に接するように固定されたブラシと、を備える。【選択図】図１
2019217476.tif 000002
【特許請求の範囲】
【請求項１】
流体が流れるダクトの内部に設けられ、前記流体が外周面から内側中空部へ透過するように配置された中空円筒状フィルタと、
前記中空円筒状フィルタの軸方向一端側に該中空円筒状フィルタと一体に設けられ、前記ダクト内を流れる前記流体の動圧によって回転可能な羽根車と、
前記中空円筒状フィルタの外周面と対向する前記ダクトの内壁面に先端部が前記中空円筒状フィルタの外周面に接するように固定されたブラシと、
を備えることを特徴とするフィルタ装置。
【請求項２】
前記ブラシは、前記ダクトの軸方向と直交する面において前記ダクトの内周面の少なくとも一部の領域に設けられ、かつ、前記ブラシの先端が前記中空円筒状フィルタの外周面の周方向において少なくとも一部の領域に接するように設けられることを特徴とする請求項１に記載のフィルタ装置。
【請求項３】
前記中空円筒状フィルタの軸方向の全域において、前記ブラシが前記中空円筒状フィルタの外周面の周方向において少なくとも一部の領域に接するように設けられることを特徴とする請求項２に記載のフィルタ装置。
【請求項４】
前記中空円筒状フィルタは、軸方向が鉛直方向に沿うように配置され、
前記ブラシより前記流体の流れ方向下流側の前記ダクトに設けられ、前記ブラシによって前記中空円筒状フィルタの前記外周面から剥離された不純物が集積可能な閉塞空間が形成されることを特徴とする請求項１乃至３の何れか一項に記載のフィルタ装置。
【請求項５】
前記羽根車は、前記羽根車の中心軸の周囲を囲むように配置され、前記中心軸から外側へ向かって放射状に延在する複数の翼を含んで構成され、
前記流体を前記羽根車に導入する前記ダクトの入口部は、前記流体が前記中心軸に対して直交する方向に沿って前記複数の翼に流入するように構成されることを特徴とする請求項１乃至４の何れか一項に記載のフィルタ装置。
【請求項６】
前記中空円筒状フィルタ、前記羽根車、前記ブラシ及び前記ブラシが設けられた部位を含む前記ダクトの一部が収納されるケーシングを備え、
前記ケーシングは、前記中空円筒状フィルタより上流側の前記ダクトが導通される入口開口と、前記中空円筒状フィルタより下流側の前記ダクトが導通される出口開口と、を有することを特徴とする請求項１乃至５の何れか一項に記載のフィルタ装置。
【請求項７】
複数の部位に冷却油を循環させる循環路と、
前記循環路に設けられた請求項１乃至６の何れか一項に記載のフィルタ装置とを備え、
前記流体は前記冷却油であり、前記ダクトは前記循環路の一部を構成することを特徴とする電動車両。
【請求項８】
前記循環路に設けられた駆動モータ及び発電機と、
前記駆動モータ及び前記発電機を冷却した後の前記冷却油を溜めるためのオイルパンと、を備え、
前記フィルタ装置は前記オイルパンに設けられることを特徴とする請求項７に記載の電動車両。
【発明の詳細な説明】
【技術分野】
【０００１】
本開示は、流体から不純物を除去可能なフィルタ装置及び該フィルタ装置を備える電動車両に関する。
【背景技術】
【０００２】
内燃機関においては、各部位の潤滑及び冷却のため、各部位間を連絡する潤滑油の循環路が設けられ、潤滑油によって各部位を潤滑し冷却する。この循環路には潤滑油から不純物を除去するためのフィルタ装置が設けられる。フィルタ装置のフィルタエレメントに不純物が堆積すると、潤滑油が正常量循環できなくなるため、フィルタエレメントに堆積した不純物を除去する必要がある。例えば、電動車両に搭載された油冷式駆動モータの場合、駆動モータ内のサーミスタが高温を検知し、電動車両を停止させる制御が働く。
【０００３】
特許文献１には、エンジンオイルから不純物を除去するためにエンジンに設けられるフィルタ装置が開示されている。このフィルタ装置では、フィルタエレメントに目詰りが生じ、圧力損失が増加したとき逃し弁が作動し、オイルをバイパス路から逃すようにしている。バイパス路には第１フィルタ部より圧力損失が小さい第２フィルタ部が設けられ、逃し弁が作動しているときでも不純物を確実に捕捉できるようにしている。
【０００４】
特許文献２には、空気中の塵埃を捕集するための除塵装置が開示されている。この除塵装置は、電動機によって回転可能な円錐形状のフィルタエレメントを備え、フィルタエレメントの外周面に堆積した塵埃を除去する場合、フィルタエレメントを回転させ、静止部に設けられたブラシで不純物を払い落すようにしている。一方、特許文献３には、電動車両において、駆動モータ及び発電機に冷却油を分配する循環路を設け、これらを効率良く冷却することが開示されている。このために、循環路を循環する冷却油から不純物を除去するためのフィルタ装置を設ける必要がある。
【先行技術文献】
【特許文献】
【０００５】
【特許文献１】特開２０１７−３１９１１号公報
【特許文献２】特開２００９−１１９８８号公報
【特許文献３】特開２０１２−１２６１９０号公報
【発明の概要】
【発明が解決しようとする課題】
【０００６】
特許文献１及び特許文献３には、フィルタエレメントに堆積した不純物を除去する手段は開示されていない。特許文献２に開示された除塵装置は、円錐形状のフィルタエレメントを電動機で回転させるため、電動機を回転させるための動力が必要となり、高コストとなる欠点がある。
【０００７】
一実施形態は、フィルタに堆積した不純物を低コストで除去可能なフィルタ装置を提案することを目的とする。
【課題を解決するための手段】
【０００８】
（１）一実施形態に係るフィルタ装置は、流体が流れるダクトの内部に設けられ、前記流体が外周面から内側中空部へ透過するように配置された中空円筒状フィルタと、前記中空円筒状フィルタの軸方向一端側に該中空円筒状フィルタと一体に設けられ、前記ダクト内を流れる前記流体の動圧によって回転可能な羽根車と、前記中空円筒状フィルタの外周面と対向する前記ダクトの内壁面に先端部が前記中空円筒状フィルタの外周面に接するように固定されたブラシと、を備える。
【０００９】
上記（１）の構成によれば、上記羽根車はダクト内を流れる流体で回転し、従って、羽根車と一体の中空円筒状フィルタも回転する。中空円筒状フィルタが回転することで、中空円筒状フィルタの外周面に付着した不純物は上記ブラシによって払い落とされる。このように、中空円筒状フィルタを回転するための動力を必要とせず、かつブラシを用いて不純物を払い落すようにしているため、簡易かつ低コスト化できる。
【００１０】
（２）一実施形態では、前記（１）の構成において、前記ブラシは、前記ダクトの軸方向と直交する面において前記ダクトの内周面の少なくとも一部の領域に設けられ、かつ、前記ブラシの先端が前記中空円筒状フィルタの外周面の周方向において少なくとも一部の領域に接するように設けられる。上記（２）の構成によれば、ブラシがダクトの軸方向と直交する面（横断面）において一部の領域のみに設けられても、中空円筒状フィルタが回転するため、中空円筒状フィルタの周方向全域で不純物を払い落すことができる。
【００１１】
（３）一実施形態では、前記（２）の構成において、前記中空円筒状フィルタの軸方向の全域において、前記ブラシが前記中空円筒状フィルタの外周面の周方向において少なくとも一部の領域に接するように設けられる。上記（３）の構成によれば、ブラシが中空円筒状フィルタの軸方向全域に設けられているため、中空円筒状フィルタが回転することによって、中空円筒状フィルタの軸方向及び周方向の全域で中空円筒状フィルタに付着した不純物を除去できる。
【００１２】
（４）一実施形態では、前記（１）〜（３）の何れかの構成において、前記中空円筒状フィルタは、軸方向が鉛直方向に沿うように配置され、前記ブラシより前記流体の流れ方向下流側の前記ダクトに設けられ、前記ブラシによって前記中空円筒状フィルタの前記外周面から剥離された不純物が集積可能な閉塞空間が形成される。上記（４）の構成によれば、中空円筒状フィルタから払い落された不純物を上記閉塞空間に溜めることができるため、中空円筒状フィルタから剥離した不純物が再び流体に混入するのを防止できる。また、メンテナンス時に閉塞空間に溜まった不純物をダクトの外部に取り出すことができる。
【００１３】
（５）一実施形態では、前記（１）〜（４）の何れかの構成において、前記羽根車は、前記羽根車の中心軸の周囲を囲むように配置され、前記中心軸から外側へ向かって放射状に延在する複数の翼を含んで構成され、前記流体を前記羽根車に導入する前記ダクトの入口部は、前記流体が前記中心軸に対して直交する方向に沿って前記複数の翼に流入するように構成される。上記（５）の構成によれば、流体が羽根車の中心軸に対して直交する方向に沿って複数の翼に流入するので、流体の動圧を効率良く羽根車に伝達できる。
【００１４】
（６）一実施形態では、前記（１）〜（５）の何れかの構成において、前記中空円筒状フィルタ、前記羽根車、前記ブラシ及び前記ブラシが設けられた部位を含む前記ダクトの一部が収納されるケーシングを備え、前記ケーシングは、前記中空円筒状フィルタより上流側の前記ダクトが導通される入口開口と、前記中空円筒状フィルタより下流側の前記ダクトが導通される出口開口と、を有する。上記（６）の構成によれば、フィルタ装置を１個のユニットとしてパッケージ化したので、所望位置に着脱可能に取り付けることができる。従って、メンテナンス時などにおいて交換が容易になる。
【００１５】
（７）一実施形態に係る電動車両は、複数の部位に冷却油を循環させる循環路と、前記循環路に設けられた前記（１）〜（６）の何れかの構成を具備するフィルタ装置を備え、前記流体は前記冷却油であり、前記ダクトは前記循環路の一部を構成する。上記（７）の構成によれば、電動車両に搭載される複数の機器に冷却油を供給する循環路に上記構成のフィルタ装置を設けることで、電動車両の各機器に不純物が除去された清浄な冷却油を供給できると共に、フィルタ装置を簡易かつ低コスト化できる。
【００１６】
（８）一実施形態では、前記（７）の構成において、前記循環路に設けられた駆動モータ及び発電機と、前記駆動モータ及び前記発電機を冷却した後の前記冷却油を溜めるためのオイルパンと、を備え、前記フィルタ装置は前記オイルパンに設けられる。上記（８）の構成によれば、フィルタ装置が発電機のオイルパンに設けられるため、このオイルパンから上記循環路を介して駆動モータ及び発電機を含め電動車両の各機器に不純物が除去された清浄な冷却油を送ることができる。
【発明の効果】
【００１７】
幾つかの実施形態によれば、流体が流れるダクトに設けられ、該流体に含まれる不純物を除去するフィルタ装置を簡易かつ低コスト化できる。
【図面の簡単な説明】
【００１８】
【図１】一実施形態に係るフィルタ装置の正面図である。
【図２】一実施形態に係るフィルタ装置の正面図である。
【図３Ａ】図１又は図２中のＡ―Ａ線に沿う横断面図に相当する図である。
【図３Ｂ】図１又は図２中のＡ―Ａ線に沿う横断面図に相当する図である。
【図４】一実施形態に係る電動車両の冷却油系統を示す系統図である。
【図５】一実施形態に係るフィルタ装置の取付け場所を示す断面図である。
【図６】一実施形態に係るフィルタ装置の取付け場所を示す断面図である。
【発明を実施するための形態】
【００１９】
以下、添付図面を参照して、本発明の幾つかの実施形態について説明する。ただし、これらの実施形態に記載されている又は図面に示されている構成部品の寸法、材質、形状及びその相対的配置等は、本発明の範囲をこれに限定する趣旨ではなく、単なる説明例にすぎない。例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。一方、一つの構成要素を「備える」、「具える」、「具備する」、「含む」、又は「有する」という表現は、他の構成要素の存在を除外する排他的な表現ではない。
【００２０】
図１及び図２は、幾つかの実施形態に係るフィルタ装置１０（１０Ａ、１０Ｂ）を示す。同図において、ダクト１２に流体ｆが流れ、ダクト１２の一部に流体ｆに含まれる不純物ｉを除去するためのフィルタ装置１０が設けられている。一実施形態では、フィルタ装置１０を設けるために、同図に示すように、流体ｆが流れる流路を形成するダクト１２は曲り部が形成され、かつフィルタ装置１０を設ける部位が拡径される。
【００２１】
フィルタ装置１０は、ダクト１２の内部で流体ｆが流れる流路ｐｆに設けられる中空円筒状フィルタ１４を備える。中空円筒状フィルタ１４は、流体ｆが外周面から内側中空部へ透過するように配置される。即ち、ダクト１２の上流側からフィルタ装置１０に到達する流体ｆが直接内側中空部に流入しないように内側中空部の入口は閉鎖される。図１に示す実施形態では、後述する羽根車１６が該内側中空部の入口に配置されて該入口を閉鎖している。
【００２２】
中空円筒状フィルタ１４の軸方向一端側に中空円筒状フィルタ１４と一体に羽根車１６が設けられている。羽根車１６は、ダクト１２の入口側から羽根車１６に流入する流体ｆの動圧によって中心軸Ｃを中心に回転可能に構成されている。中空円筒状フィルタ１４は羽根車１６と一体に構成されているため、羽根車１６と共に回転する。また、中空円筒状フィルタ１４の外周面と対向するダクト１２の内壁面にブラシ１８が固定されている。ブラシ１８の先端部は中空円筒状フィルタ１４の外周面に接するように配置されている。
【００２３】
上記構成によれば、羽根車１６がダクト１２の入口側から流入する流体ｆによって回転するため、羽根車１６と一体の中空円筒状フィルタ１４も回転する。中空円筒状フィルタ１４が回転することで、中空円筒状フィルタ１４の外周面に付着した不純物ｉはブラシ１８によって払い落とされる。このように、中空円筒状フィルタ１４を回転するための動力を必要とせず、かつブラシ１８を用いて不純物を払い落すようにしているため、簡易かつ低コスト化できる。従って、例えば、電動車両の冷却油系統などに適用でき、フィルタ装置をコンパクト化できるために、特に、電動車両に搭載される駆動モータ及び発電機の冷却系統に好適である。
【００２４】
一実施形態では、図１及び図２に示すように、ダクト１２は、フィルタ装置１０を配置するため拡径された収納部１２ｂと、収納部１２ｂに対して流体ｆの流れ方向上流側（以下単に「上流側」とも言う。）に位置する入口ダクト１２ａと、収納部１２ｂに対して流体ｆの流れ方向下流側（以下単に「下流側」とも言う。）に位置する出口ダクト１２ｃと、で構成される。収納部１２ｂは断面が円形に形成され、入口ダクト１２ａ及び出口ダクト１２ｃより拡径されている。収納部１２ｂは、入口ダクト１２ａ及び出口ダクト１２ｃに対して直交する方向に配置され、入口ダクト１２ａ及び出口ダクト１２ｃは互いに平行に配置される。
【００２５】
一実施形態では、図１及び図２に示すように、入口ダクト１２ａ及び出口ダクト１２ｃは水平方向に沿って配置され、収納部１２ｂは鉛直方向に沿って配置される。そして、フィルタ装置１０は、軸方向が鉛直方向に沿うように収納部１２ｂに配置される。一実施形態では、フィルタ装置１０は、羽根車１６の中心軸Ｃと共有し、中心軸Ｃを中心に回転する。また、フィルタ装置１０は羽根車１６を介して入口ダクト１２ａの上部隔壁に吊り下げられる。即ち、入口ダクト１２ａの上部隔壁にリング状の支持部２０が設けられ、羽根車１６の端部に形成された段差部が支持部２０に支持される。  
【００２６】
図３Ａ及び図３Ｂは、夫々図１又は図２中のＡ―Ａ線に沿う断面図に相当する図である。一実施形態では、図３Ａ及び図３Ｂに示すように、ブラシ１８は、ダクト１２の収納部１２ｂにおいて、収納部１２ｂの軸方向と直交する面（以下「横断面」とも言う。）においてダクト１２の内周面の少なくとも一部の領域に設けられ、ブラシ１８の先端部が中空円筒状フィルタ１４の外周面の周方向において少なくとも一部の領域に接するように設けられる。この実施形態によれば、ブラシ１８がダクト１２の横断面において一部の領域のみに設けられても、中空円筒状フィルタが軸中心に回転するため、中空円筒状フィルタ１４の周方向全域で不純物ｉを払い落すことができる。
【００２７】
図３Ａは、ブラシ１８がダクト１２の収納部１２ｂの横断面において周方向の一部の領域のみに設けられた実施形態を示す。図３Ｂは、ブラシ１８が収納部１２ｂの横断面において周方向に１８０°隔てた２つの領域に設けられた実施形態を示す。これら実施形態以外に、ブラシ１８を横断面において周方向に９０°隔てた４つの領域に設けるようにしてもよい。あるいは、ブラシ１８をダクト１２の横断面において周方向全域に設けるようにしてもよい。
【００２８】
一実施形態では、図１及び図２に示すように、中空円筒状フィルタ１４の軸方向の全域において、ブラシ１８が中空円筒状フィルタ１４の外周面の周方向において少なくとも一部の領域に接するように設けられる。この実施形態によれば、ブラシ１８が中空円筒状フィルタ１４の軸方向全域において周方向の少なくとも一部の領域に設けられているため、中空円筒状フィルタ１４が中心軸Ｃを中心として回転することにより、中空円筒状フィルタ１４の軸方向及び周方向の全域で中空円筒状フィルタ１４に付着した不純物ｉを除去できる。
【００２９】
一実施形態では、ブラシ１８を中空円筒状フィルタ１４の外周面の軸方向及び周方向の両方向において全域に設けることができる。別な実施形態では、ブラシ１８の設定量を節減するため、ブラシ１８が中空円筒状フィルタ１４の外周面の周方向で一部の領域に設けられる。図２に示す実施形態に係るフィルタ装置１０（１０Ｂ）では、中空円筒状フィルタ１４の外周面が軸方向に沿って４つの領域に分けられ、夫々の領域で周方向に９０°間隔で周方向の一部の領域にブラシ１８が設けられている。なお、図２において、中空円筒状フィルタ１４の軸方向最下端領域では、ブラシ１８は中空円筒状フィルタ１４より手前側の領域に設けられているため、図示されていない。
【００３０】
一実施形態では、図１及び図２に示すように、中空円筒状フィルタ１４は、軸方向が鉛直方向に沿うように配置される。そして、ブラシ１８より流体ｆの流れ方向下流側のダクト１２に、不純物ｉが集積可能な閉塞空間ｓが形成される。ブラシ１８によって中空円筒状フィルタ１４の外周面から剥離された不純物ｉは、閉塞空間ｓに集積する。この実施形態によれば、中空円筒状フィルタ１４から払い落した不純物ｉを閉塞空間ｓに溜めることができるため、中空円筒状フィルタ１４から剥離した不純物ｉが再び流体ｆに混入するのを防止できる。また、メンテナンス時に閉塞空間ｓに溜まった不純物ｉをダクト１２の外部に取り出すことができる。なお、ここで、「軸方向が鉛直方向に沿うように配置される」とは、軸方向が鉛直方向に対して３０°以内の角度で配置されることを意味する。
【００３１】
図１及び図２に図示された実施形態では、ダクト１２の収納部１２ｂにおいて、ブラシ１８の下流側に環状の遮蔽壁２２が設けられる。また、出口ダクト１２ｃの上流側端部であって遮蔽壁２２の内側に筒状の仕切壁２４が設けられ、収納部１２ｂの外壁と、遮蔽壁２２と、仕切壁２４とで閉塞空間ｓが形成される。さらに、一実施形態では、筒状の仕切壁２４の上端部にリング状の支持部２６が設けられ、フィルタ装置１０は、リング状の支持部２０及び２６で支持される。これによって、フィルタ装置１０の支持強度を増加できる。
【００３２】
一実施形態では、図１及び図２に示すように、羽根車１６は、羽根車１６の中心軸Ｃの周囲を囲むように配置される複数の翼２８を備える。複数の翼２８は羽根車１６の中心軸Ｃから外側へ向かって放射状に延在する。また、流体ｆを羽根車１６に導入する入口ダクト１２ａは、流体ｆが中心軸Ｃに対して直交する方向に沿って複数の翼２８に流入するように構成される。この実施形態によれば、流体ｆが羽根車１６の中心軸Ｃに対して直交する方向に沿って複数の翼２８に流入するので、流体ｆの動圧を効率良く羽根車に伝達できる。なお、ここで、「中心軸Ｃに対して直交する方向に沿って複数の翼２８に流入する」とは、複数の翼２８の先端部を結ぶことで形成される円の接線方向に対して上下又は左右に３０°以内の角度で流入することを意味する。
【００３３】
一実施形態では、図１に示すように、中空円筒状フィルタ１４、羽根車１６、ブラシ１８及びブラシ１８が設けられた部位を含むダクト１２の一部が１個のケーシング３０に収納される。ケーシング３０は、中空円筒状フィルタ１４より上流側に設けられる入口ダクト１２ａが導通される入口開口３０ａと、中空円筒状フィルタ１４より下流側に設けられる出口ダクト１２ｃが導通される出口開口３０ｂと、を有する。この実施形態によれば、フィルタ装置１０を１個のユニットとしてパッケージ化したるので、所望位置に着脱可能に取り付けることができる。従って、メンテナンス時などにおいて、ケーシング３０を固定された位置から取り外し、掃除及び補修等のメンテナンスを行い、かつ閉塞空間ｓに溜まった不純物ｉを除去した後、元の固定位置に戻す。
【００３４】
図４は、一実施形態に係る電動車両に搭載された複数の機器に冷却油を供給する循環系統を示す系統図である。図４において、電動車両４０は、複数の機器に冷却油を循環させる循環路４２と、循環路４２に設けられたフィルタ装置１０を備える。フィルタ装置１０は、上述の構成を有するため、電動車両４０の各機器に不純物ｉが除去された清浄な冷却油を供給できると共に、フィルタ装置を簡易かつ低コスト化できる。
【００３５】
一実施形態では、電動車両４０は、循環路４２に設けられた駆動モータ４４及び発電機４６と、を備える。駆動モータ４４及び発電機４６を冷却した後の冷却油を溜めるためのオイルパン４８を備え、オイルパン４８にフィルタ装置１０が設けられる。冷却油は循環路４２に設けられた循環ポンプ５０で循環路４２を循環し、駆動モータ４４及び発電機４６に夫々冷却油が供給される。この実施形態によれば、フィルタ装置１０が発電機４６のオイルパン４８に設けられるため、このオイルパン４８から循環路４２を介して、駆動モータ４４及び発電機４６を含む電動車両４０の各機器に不純物ｉが除去された清浄な冷却油を送ることができる。
【００３６】
一実施形態では、図４に示すように、循環路４２において循環ポンプ５０の下流側にオイルクーラ５１が設けられる。循環ポンプ５０から吐出された冷却油はオイルクーラ５１で冷却され、オイルクーラ５１で冷却された冷却油が駆動モータ４４及び発電機４６を含む各機器に供給される。
【００３７】
図５及び図６は、夫々オイルパン４８に設けられるパッケージ化されたフィルタ装置１０の実施形態を示す。図５は、フィルタ装置１０がオイルパン４８の底面に設けられた実施形態である。オイルパン４８には、駆動モータ４４及び発電機４６を潤滑しかつ冷却した後の冷却油が貯留される。入口ダクト１２ａは貯留された冷却油の中に配置され、循環ポンプ５０の作動により冷却油が入口ダクト１２ａから収納部１２ｂに導入される。導入された冷却油は収納部１２ｂで不純物ｉが除去された後、出口ダクト１２ｃから出てゆく。収納部１２ｂ及び出口ダクト１２ｃは基台５２に取り付けられ、基台５２はオイルパン４８の底面に着脱可能に固定される。
【００３８】
この実施形態では、収納部１２ｂ及び出口ダクト１２ｃが基台５２に取り付けられることで、パッケージ化されており、メンテナンス時に基台５２をオイルパン４８の底面から取り外すことで、フィルタ装置１０を一括してオイルパン４８から取り外すことができる。また、フィルタ装置１０をオイルパン４８の底面に取り付けることで、オイルパン４８に溜まった潤滑油の水頭圧を利用できる。
【００３９】
図６は、フィルタ装置１０がオイルパン４８の側面に固定される実施形態である。入口ダクト１２ａ及び出口ダクト１２ｃと一体に形成された収納部１２ｂが取付部５４を介してオイルパン４８の側面に着脱可能に取り付けられる。オイルパン４８に貯留した潤滑油は、潤滑油の液面以下で開口した入口ダクト１２ａから収納部１２ｂに流入し、フィルタ装置１０で不純物ｉが除去された後、出口ダクト１２ｃから流出する。この実施形態では、パッケージ化されたフィルタ装置１０をオイルパン４８の側面に取り付けるため、メンテナンス時などにおいてオイルパン４８からの着脱が容易である。
【産業上の利用可能性】
【００４０】
幾つかの実施形態によれば、ダクトを流れる流体から不純物を除去するに際し、フィルタエレメントに堆積した不純物を低コストで除去可能なフィルタ装置を実現できる。例えば、電動車両の冷却油系統などに適用でき、フィルタ装置をコンパクト化できるために、特に、電動車両に搭載される機器類の冷却に好適である。
【符号の説明】
【００４１】
１０（１０Ａ、１０Ｂ）    フィルタ装置
１２    ダクト
１２ａ    入口ダクト
１２ｂ    収納部
１２ｃ    出口ダクト
１４    中空円筒状フィルタ
１６    羽根車
１８    ブラシ
２０、２６    支持部
２２    遮蔽壁
２４    仕切壁
２８    翼
３０    ケーシング
３０ａ    入口開口
３０ｂ    出口開口
４０    電動車両
４２    循環路
４４    駆動モータ
４６    発電機
４８    オイルパン
５０    循環ポンプ
５１    オイルクーラ
５２    基台
５４    取付部
Ｃ      中心軸
ｆ      流体（冷却油）
ｉ      不純物
ｐｆ    流路
ｓ      閉塞空間
【図１】
2019217476.tif 000003
【図２】
2019217476.tif 000004
【図３Ａ】
2019217476.tif 000005
【図３Ｂ】
2019217476.tif 000006
【図４】
2019217476.tif 000007
【図５】
2019217476.tif 000008
【図６】
2019217476.tif 000009